(57)【要約】【課題】  貨幣等の投入による無人の精米装置の設置面積の有効利用をはかる。【解決手段】  ハウス（１）の一階（１Ｆ）に玄米投入口（２）と、精米操作する操作盤（３）、及び精米された白米を取出す白米取出口（４）を設け、該玄米投入口（２）から供給された玄米をこのハウス（１）の二階（２Ｆ）へ揚穀する揚穀機（５）を設け、この二階（２Ｆ）にはこの揚穀玄米を受けて石抜きする石抜機（６）と、石抜きされた玄米を精米する精米機（７）、及びこの精米によって生ずる糠を袋（Ａ）詰めする糠収集装置（８）を設けたことを特徴とする精米装置の構成とする。玄米投入口（２）に投入された玄米は、揚穀機（５）によって二階（２Ｆ）へ供給されて石抜作用、精米処理される。白米は一階（１Ｆ）の白米取出口（４）に取出され、糠は二階（２Ｆ）の糠収集装置（８）へ搬送されて糠袋（Ａ）に収容される。【選択図】        図１
2006205112.tif 000002
【特許請求の範囲】
【請求項１】
ハウス（１）の一階（１Ｆ）に玄米投入口（２）と、精米操作する操作盤（３）、及び精米された白米を取出す白米取出口（４）を設け、該玄米投入口（２）から供給された玄米をこのハウス（１）の二階（２Ｆ）へ揚穀する揚穀機（５）を設け、この二階（２Ｆ）にはこの揚穀玄米を受けて石抜きする石抜機（６）と、石抜きされた玄米を精米する精米機（７）、及びこの精米によって生ずる糠を袋（Ａ）詰めする糠収集装置（８）を設けたことを特徴とする精米装置。
【請求項２】
前記ハウス（１）の二階（２Ｆ）には、糠収集装置（８）により袋詰される糠袋（Ａ）を一階（１Ｆ）の駐車場（９）に降下させる袋降装置（１０）を設けたことを特徴とする請求項１に記載の精米装置。
【発明の詳細な説明】
【技術分野】
【０００１】
この発明は、狭いハウス内のスペースを利用して、精米用玄米の供給や、精米後の白米の取出等、取扱、及び精米操作を簡単、容易化し、精米により発生の糠を収容した糠袋の処理を省力化する精米装置に関する。
【背景技術】
【０００２】
ハウス内に精米機や糠収集装置等を配置する技術（例えば、特許文献１参照）や、ハウスの二階に設けた糠収容タンクから一階のトラック車両の糠タンクに流下供給させる技術（例えば、特許文献２参照）等が知られている。
【特許文献１】特公平７−３２８８２号公報（第２頁、図１）
【特許文献２】特開平８−２４６７９号公報（第３頁、図１）
【発明の開示】
【発明が解決しようとする課題】
【０００３】
郊外に設置される無人精米装置の利用は、玄米の搬入や、白米の搬出を自動車で行うため、広い駐車場を要する。しかもこれら精米装置に対する玄米の供給や、白米の取出し、さらには重量の大きい糠袋の処理には重労力をも要する。
【課題を解決するための手段】
【０００４】
請求項１に記載の発明は、ハウス（１）の一階（１Ｆ）に玄米投入口（２）と、精米操作する操作盤（３）、及び精米された白米を取出す白米取出口（４）を設け、該玄米投入口（２）から供給された玄米をこのハウス（１）の二階（２Ｆ）へ揚穀する揚穀機（５）を設け、この二階（２Ｆ）にはこの揚穀玄米を受けて石抜きする石抜機（６）と、石抜きされた玄米を精米する精米機（７）、及びこの精米によって生ずる糠を袋（Ａ）詰めする糠収集装置（８）を設けたことを特徴とする精米装置の構成とする。運搬車両を駐車場（９）に駐車して、玄米袋を車両から降して玄米投入口（２）へ運んで供給する。又、操作盤（３）での精米運転の操作を行う。玄米投入口（２）に投入された玄米は、揚穀機（５）によって二階（２Ｆ）の石抜機（６）へ供給されて石抜作用を受ける。この石抜きされた玄米は精米機（７）へ供給されて精米処理される。この精米処理を受けた白米は一階（１Ｆ）の白米取出口（４）に取出され、糠は二階（２Ｆ）の糠収集装置（８）へ搬送されて糠袋（Ａ）に収容される。又、該白米を取出すときは、白米取出口（４）下に白米袋等を置いて、白米を取出収容させて、車両に積込む。
【０００５】
請求項２に記載の発明は、前記ハウス（１）の二階（２Ｆ）には、糠収集装置（８）により袋詰される糠袋（Ａ）を一階（１Ｆ）の駐車場（９）に降下させる袋降装置（１０）を設けたことを特徴とするものである。前記のように二階（２Ｆ）の精米機（７）で発生した糠が糠収集装置（８）で収集されて糠袋（Ａ）に収容される。この糠袋（Ａ）が満杯になると、この糠袋（Ａ）を袋降装置（１０）で、一階（１Ｆ）の駐車場（９）に予め駐車させているトラック車両の荷台上に直接降下させて載せ替える。
【発明の効果】
【０００６】
請求項１に記載の発明は、玄米投入口（２）や、精米運転の操作盤（３）、及び白米取出口（４）等を除き、石抜機（６）や、精米機（７）、及び糠収集装置（８）等の機械装置の主要構成機材を二階（２Ｆ）に配置するため、階下の駐車場（９）を広く設定することができ、車両による玄米搬入や、白米の搬出、及び精米運転操作等を行い易くすることができる。
【０００７】
請求項２に記載の発明は、糠収集装置（８）によって袋詰された糠袋（Ａ）は二階（２Ｆ）にあって、この糠袋（Ａ）を袋降装置（１０）によって、一階（１Ｆ）の駐車場（９）に停車の車両荷台上に直接下降させて載せることができ、省力化して、糠袋（Ａ）の取扱処理を簡単、容易に行うことができる。
【発明を実施するための最良の形態】
【０００８】
図面に基づいて、精米ハウス１は、一階１Ｆと二階２Ｆとの床を形成する二階建て形態とする。１３、１４、１５は各隅部に設ける隅柱である。この一階１Ｆの略半分の床部に作業床１６を形成し、仕切壁１７の内側には、玄米を投入する玄米投入口２と、精米運転操作を行う操作盤３と、精米後の白米を取出す白米取出口４と等を配置する。なお仕切壁１７にはこれら玄米投入や白米取り出しのための開口（図示せず）を備える。玄米投入口２の下部に設けられる玄米ホッパー１８は開閉操作可能のシャッター１９を介して揚穀機５の下端部に連通させている。この揚穀機５はモータ２０によって駆動することができ、ホッパー１８から供給される玄米を受けて二階２Ｆの石抜機６へ搬送供給することができる。又、白米取出口４には、白米を収容してシャッターを開くことによって白米袋等に排出することのできる白米ホッパー２１を設ける。この白米ホッパー２１の下方には適宜高さの袋受スペースを設け、この袋受スペースに置いた白米袋の袋口をこの白米ホッパー２１口にのぞませた状態で、シャッターを開いて白米ホッパー２１の収容白米を袋詰めするように構成する。又、前記操作盤３は、玄米投入口２へ供給する玄米供給量に応じたコインを投入する後記コインメック４３や、玄米精白度を決めるスイッチボタン４４、及び玄米種類スイッチボタン４５等を有する。
【０００９】
この一階１Ｆの作業床１６の外側部には、柱１４、１５間に車両２２の通る駐車場９を設ける。玄米を玄米投入口２へ持込むときや、白米取出口４からの白米袋を積込みを行うとき、更には、糠袋の積込みを行うとき等には、車両２２をこの駐車場９に駐車させて作業操作することができる。又、この駐車場９の外側の柱１５は、この上部の二階２Ｆの張出形態や構造等によって取除く形態とすることができる。
【００１０】
ハウス１の二階２Ｆには、前記作業床１６や、投入口２、取出口４等寄りの上方部に、石抜機６や精米機７等を配置し、駐車場９部の上方に糠収集装置８や、袋降装置１０等を配置する。石抜機６は、揚穀機５の上端部から流下される玄米を受けて揺動選別する揺動盤を有し、玄米から比重の大きい石礫を選別して取除くものである。この玄米をモータ２５で駆動される揚穀機２６に供給して、この揚穀機２６から精米機７のホッパー２７に供給する。この精米機７は、精米転子とこの外周を囲う精米網とを有して、精米転子の回転のもとに玄米を精米網内に通すことによって精米作用を行わせて白米を得るものである。この精米機７の排出口２８から排出される白米は、シュータ等を経て一階１Ｆの白米ホッパー２１内に流下される。又、該精米網の外周に選別された糠は、糠収集装置８のサイクロン３０に連通の吸引ホース２９を吸引搬送されて、このサイクロン３０において吸引風から分離される。このサイクロン３０は駐車物９の上側の二階２Ｆ上方に複数設けられ、サイクロン３０の糠排出口３１の下側に大きい糠袋Ａ口をのぞませる。サイクロン３０の糠排出口３１の下端にはオーガ等を内装する移送樋３２が設けられて、このサイクロン３０直下の糠排出口３１にのぞませた糠袋Ａ口部が、糠収容で一杯になると、余りの糠は移送樋３２を経て隣接の糠袋Ａに搬送収容される。
【００１１】
このような各糠袋Ａは、二階２Ｆの床面と略同位に設置される昇降台３５上面に受けることができる。この昇降台３５は、二階２Ｆ床面に形成の昇降口３４の横側に配置されて伸縮可能の昇降シリンダ３６によって昇降可能に支持される。この昇降シリンダ３６を支持する支柱３７が二階２Ｆに設けられて、前記糠排出口３１や搬送樋３２の糠排出口３３にのぞませる糠袋Ａは、袋口３８横の吊下紐３９を、該支柱３７等に吊下げられるフック４０に吊下げておき、糠の収容を行わせることができる。この糠袋Ａは、昇降台３５に載せて昇降シリンダ３６の伸長によって下降させることができる。この下降するときは該吊下紐３９をフック３９から外しておく。又、この糠袋Ａを降すときは、予めトラック車両２２を駐車場９に駐車させておき、昇降台３５はこのトラック車両２２の荷台上面に下降させて受けさせる。下降した糠袋Ａは、昇降台３５上面からトラック車両２２の荷台上面に載せ替える。
【００１２】
前記操作盤３には、所定のコインを投入するコインメック４３や、玄米の種類を指定する玄米種類スイッチボタン４４、及び精白度を指定する精白度スイッチボタン４５等を配置する。この操作盤３の下部には、可撓性ホース４６を引出口５０から引出可能に設け、先端部には吸引ノズル４７を有する。このホース４６は前記玄米投入口２にのぞませていて、この吸引ノズル４７近くのスイッチボタン４８を押すことにより吸引力を働かせることによって、持込まれた車両２２上の玄米袋Ｂ内の玄米Ｃを直接吸引搬送して、該玄米投入口２へ供給することができる。この方法であれば、玄米袋Ｂは持込車両２２の荷台上においたままでも搬送供給することができ、供給完了すればホース４６を操作盤３引出口５０の内側へ収納させておくことができる。このホース４６はサイクロン４９を介して吸引ファン５１による吸引力を働かせて搬送可能に構成したもので、このサイクロン４９の排出口５２から玄米を落下供給させる。
【００１３】
次に、主として図５に基づいて、前記ホース４６に吹込ホース５５を一体形成して、圧風ファン５６からの圧風をノズル４７外周部の噴風口５７から噴出させる。この噴風によって玄米袋Ｂ内の玄米を浮かせるようにして、中央部のノズル４７から吸引してホース４６を経て玄米投入口２へ搬送する。
【００１４】
図６は投入ホッパの改良構造を示す。仕切壁６０により機械室Ｍとは仕切られた操作室Ｓ側に玄米又は籾等穀物の投入ホッパ６１を設け、この投入ホッパ６１の下方に縦軸６２回りに回転する回転軸６３に中央の多角ボス部から放射状に等ピッチで掻き寄せ羽根６５，６５…を形成し、該掻き寄せ羽根６５，６５…の先端部を接続壁６６，６６…によって接続することにより、ホッパ６１下方に設ける固定底壁６８部とにより放射状配置の収容部６７ａ，６７ａ…の形成された繰出機構６７が設けられる。投入ホッパ６１の一側は傾斜案内壁６１ａに形成され、他側は略垂直壁６１ｂに形成される。６９はこの垂直壁６１ｂから斜め下方に延出された傾斜案内板である。上記垂直壁６１ｂの外側には昇降機７０を立設しており、この昇降機７０の下部側の受漏斗７１の上部に案内接続枠７２を設け、該案内接続枠７２の上方に前記収容部６７ａがのぞむと該収容部６７ａと受漏斗７１とが連通する構成であり、図外シャッタの開動によって底部を開き、穀物供給可能である。７３は駆動モータである。
【００１５】
したがって、投入ホッパ６１の穀物は、開口６１ｃから順次繰出機構６７の上記収容部６７ａ，６７ａ…に入り、回転（Ｒ）と共に移動し、案内接続枠７２、受漏斗７１から昇降機７０内に入る。繰出機構６７は上下高さを低く構成でき、ひいては投入ホッパ６１の設置高さを低く構成できるため、穀物投入の際の持ち上げ高さを低くし労力を軽減する。
【００１６】
図７は図６の下方に異物除去手段７４を構成して投入された穀物中から藁くず等の長尺異物や綴れ米等を除去するものである。異物除去手段７４は、前記繰出機構６７の排出部下方に設けられ、広い盤面に整穀物を漏下させる目合いの選別網７４ａを張設した選別枠７４ｂが傾斜して設けられ、その傾斜上位側を支点に下位側を一定方向に縦軸心回りに回動させることによって選別枠７４ｂ全体を振動状態となす構成である。７５は駆動モータである。
【００１７】
上記のように構成すると、投入ホッパ６１からの穀物は所定量毎に収容部６７ａ,６７ａ…で繰り出されながら、異物除去手段７４の選別枠７４ｂに供給される。選別枠７４ｂでは選別網７４ａによって整粒穀物は漏下して選別枠７４ｂ底部で受けられて案内され、一方選別網７４ａ上に残る長尺異物や綴れ米などは、選別網７４ａの下端側から回収箱７６に回収される構成である。このように構成すると、異物除去手段７４から分離回収された異物は操作室Ｓ側に近いため、この操作室Ｓから回収処分することができ、機械装置に上流側から機械全体の異物による詰りを防止できる。
【００１８】
前記操作盤３面には、白度設定ボタン４５のほか、コイン入力手段８２、プリペイドカード入力手段８３等を備え、操作盤３への入金操作情報と運転情報とを入力して使用内容を印字するデータプリンタ８４を構成する。すなわち、演算制御部８５は、上記コイン入力、カード入力、タイマー入力等を受け、コイン使用枚数、カード使用度数等各出力するが、この出力によって時計機能内蔵のデータプリンタ８４は、使用時間（ア）とともに利用金額（イ）を印字出力できる構成である（図８（１））
印字内容において、カードによる使用と貨幣による使用を区分表示したことを特徴とする。図８（２）において、利用時間と金額表示がなされ、例えば貨幣による利用の場合は円符号「￥」とともに数字を付す（ウ）。カード使用による場合は、「符号Ｃ」とともに数字を付すようになっている（エ）。このようにカード使用による場合と、貨幣使用による場合とで印字形態を異ならせることにより、カード利用状況の把握が容易となる。また、合計料金（図例では、「ニッケイ」欄）を、同様にカード利用と貨幣使用とで、円符号「￥」または各別の「Ｃ」符号をもって区別し、それぞれの利用金額と共に印字できる構成としている（オ）。
【００１９】
前記操作盤８０面または適宜の箇所にメンテナンススイッチ８６を設け、該スイッチ８６を操作すると、運転各部が起動する構成としている。作業員は投入ホッパへの穀物投入なしの状態で運転される各部を点検できる。このようなメンテナンス状況での運転を区別してデータプリンタ８４には印字出力される構成である。即ち、メンテナンススイッチ８６入力を受け付けると、コイン使用枚数の出力をせず、実施例ではメンテナンス実行の表記（カ）（図例では符号「Ｍ」）とともに、「￥」符号及び金額表示出力はするが、前記の合計料金には含まない構成としている（図８（３））。
【００２０】
上記のようにメンテナンススイッチ８６を構成して各部を実行させるときは、データプリンタ出力はメンテナンスであることの表記を行なわせると共に、金額表記は実行しても合計金額に含めない構成とするものであるから、集計作業が容易化される。
【００２１】
図９は前記糠収集装置８の改良に関する参考例を示すものである。該糠収集装置８は、サイクロン９１、糠移送螺旋９２を内装する糠移送樋９３、この糠移送樋９３の下方２箇所の排出部９４,９４からの糠を受ける糠収容袋等からなる。糠移送樋９３は天井部に吊り金具９５，９５を介して吊持され、このうち一方の吊り金具９５にサイクロン９１の胴部半周を受ける受け座９５ａを取り付け、残り半周は薄い板金材からなる帯板９６の両端をボルト等によって締め付けサイクロン９１を支持構成する。サイクロン９１の下端は、上記糠移送樋９３の移送始端部側上面を覆う蓋体９７に形成する円孔９７ａ及びこの円孔９７ａに沿って起立状に該蓋体９７と一体に設ける円形接続金具９８に上側から嵌合すべく装着される。
【００２２】
上記のようにサイクロン９１の下方は円形の接続金具９８に嵌合状態とし、胴部を受け座９５ａと帯板９６の締め付けによって保持される構成であるから、組立て・メンテナンス時の分解が１人で作業でき工数の削減効果がある。
【００２３】
図１０の側面図、及び図１１のフローチャート図は、糠の詰りを検出してこれを解消するものである。各部運転中、サイクロン９１に通じる糠ファン１００や上記糠移送螺旋９２を夫々駆動する駆動モータが起動する（ステップ１０１）。サイクロン９１の下方内側に糠詰りセンサ１０１を設け、該センサ１０１が詰り検出すると（ステップ１０２）、サイクロン９１の上部開口９１ａを施蓋する上部蓋１０２が制御部１０３からの出力によって開閉作動手段１０４を閉出力し該作動によって自動的に閉じる（ステップ１０３）。この閉じ作動は予め設定した所定時間ｔに渡って実行され、再度糠詰りセンサ１０１による糠詰りの有無が検出され（ステップ１０６）、検出センサ１０１がオフで糠詰りが解消されたときは上部蓋１０２は開いて通常の運転状態に復帰し（ステップ１０７）、ステップ１０６で詰り解消できないときは異常報知する（ステップ１０８）。
【００２４】
以上のように構成すると、糠詰り検出によって、上部開口を施蓋するため、糠ファン１００による通風が下方に集中して先細の円錐状部に溜まる糠を吹き落として糠の詰りを解消する。この作用は予め設定した所定時間に行なわせるものとし、この時間以内に解消し得ないときは異常報知してメンテナンスを要求する。
【００２５】
なお、糠詰り検出センサとしては、カメラによる光学的手段のほか、付着厚さを機械的に検出する構成でもよい。
図１２による糠詰り検出の解消手段は次のとおりである。すなわち、サイクロン９１から糠移送樋９３への接続部において、糠詰り検出センサ１０５を設ける構成とし、当該センサ１０５の糠詰り検出に基づいて、糠移送螺旋樋９２の回転数を標準回転から高速回転に変速して糠詰りを解消しようとし（図１３）、または、利用者が精米作業を完了して次の利用者が来るまでの間、糠移送螺旋９２（実施例では糠ファン１００も）を高速回転して糠詰りの解消をはかっている（図１４）。特に、利用者のいない間に糠詰り解消を行なう形態では、精米運転中の糠詰り解消を行なうことがないため作業に支障がなく効果的である。
【００２６】
図１５は、前記精米機７の排出部における参考例を示すものである。精白筒１０６の出口１０７に白米ホッパー２１を設けるが、その始端側に所定小容量の容器状の白米ストック１０８を設け、上部側に設ける開閉弁１０９によって白米ストック１０８に貯留する状態（図１５中仮想線）と、非供給の状態（同図実線）とに切替えられる構成としている。この白米ストック１０８に白米を貯留した状態で作業を継続すると、後続の白米はこの貯留白米の上部を流下して白米ホッパー２１に至ることができる（図１５（２））。したがって、案内シュート部を構成することで糠粉の付着による汚損をなくし、清潔感を維持して運転できる。なお、白米ストック１０８の貯留白米は適宜に底部を開いて回収する構成とするか、自動的に底弁１１０を開閉制御して精米機に還元できる構成とする。後者の自動的に還元する構成では、精白筒１０６内の玄米をなくする形態に兼用できて利便である。１０９は圧力板である。
【図面の簡単な説明】
【００２７】
【図１】無人精米装置の断面した立面図（１）、その外観斜視図（２）
【図２】その一階部の平面図
【図３】その二階部の平面図
【図４】その操作盤部の正面図（１）と、一部の拡大図（２）
【図５】そのホース部の別実施例を示す側面図
【図６】投入ホッパの参考例を示す平面図（１）と、側断面図（２）
【図７】投入ホッパの別参考例を示す平面図（１）と、側断面図（２）
【図８】データ印字出力構成を示すブロック図（１）と、印字出力一例（２）（３）
【図９】糠収集装置の参考例を示す分解斜視図（１）と、部分拡大斜視図（２）
【図１０】糠詰り異常対応手段を備えるサイクロンの側面図
【図１１】制御ブロック図
【図１２】別例の糠付着状況を判断する参考例を示す側面
【図１３】制御ブロック図
【図１４】制御ブロック図
【図１５】精米機出口部の参考例を示す側断面図（１）と、作用説明図（２）と、白米ストック拡大斜視図（３）
【符号の説明】
【００２８】
１    ハウス
２    玄米投入口
３    操作盤
４    白米取出口
５    揚穀機
６    石抜機
７    精米機
８    糠収集装置
９    駐車場
１０    袋降装置
【図１】
2006205112.tif 000003
【図２】
2006205112.tif 000004
【図３】
2006205112.tif 000005
【図４】
2006205112.tif 000006
【図５】
2006205112.tif 000007
【図６】
2006205112.tif 000008
【図７】
2006205112.tif 000009
【図８】
2006205112.tif 000010
【図９】
2006205112.tif 000011
【図１０】
2006205112.tif 000012
【図１１】
2006205112.tif 000013
【図１２】
2006205112.tif 000014
【図１３】
2006205112.tif 000015
【図１４】
2006205112.tif 000016
【図１５】
2006205112.tif 000017